(57)【特許請求の範囲】
【請求項１】
注口部を有するボトルの口部に、キャップを押圧して該キャップの内周面に設けた係合部を該口部の外周面に設けた係合部に係合させて閉蓋し、該キャップを捻って該ボトルの該係合部と該キャップの該係合部との係合状態を解除して開蓋するようにした簡易開閉式容器において、
上記キャップの内周面の係合部と上記口部の外周面の係合部は、円環状をなす突起として設けられており、
上記ボトルの天面の上記キャップの回転中心位置から偏心した位置に、円形状をなす上記注口部が形成されており、
上記ボトルを上記キャップによって閉蓋した際に、上記注口部に嵌合して上記注口部を密閉する半球形状又は円錐形状の突起が、上記キャップの天面における回転中心位置から偏心した位置に設けられており、
上記キャップの捻りにより生じる、上記注口部から上記突起が上方に外れる際の力を利用して、上記ボトルの上記係合部と上記キャップの上記係合部との係合状態を解除するようにした簡易開閉式容器。
【請求項２】
上記ボトルの天面は、中蓋によって形成される請求項１記載の簡易開閉式容器。
【請求項３】
上記注口部は、上記ボトルの天面よりも上方に突出した突起の先端に設けられる請求項１又は２に記載の簡易開閉式容器。
【発明の詳細な説明】
【０００１】
【発明の属する技術分野】
本発明は、蓋を開けるときには蓋を捻り、蓋を閉めるときには該蓋をボトルに対して押し込むようにしてワンタッチで開閉可能とした、簡易開閉式容器に関し、特に小さな力でキャップを開けることのできる簡易開閉式容器に関する。
【０００２】
【従来の技術及び発明が解決しようとする課題】
ボトルからキャップを取り外すには、例えば、ボトルの口部の外周面に形成したねじに羅合したキャップを回して該キャップを取り外すネジ式タイプ、ボトルの口部の外周囲に嵌合したキャップを引き抜いて該キャップを取り外す引き抜きタイプ、ボトルの口部の外周面に形成した係合部に係合させたキャップを捻って（ツイストして）係合状態を解除しキャップを取り外す捻りタイプ等の如き蓋開閉機構が提案されている。
【０００３】
しかし、引き抜きタイプのものは、キャップを開ける際に内容物が飛び出易い。このため、キャップとボトルの嵌め合い状態を緩めてキャップを開け易くすると、今度は落下でキャップが外れるといった問題が生じる。
【０００４】
ネジ式タイプのものは、開閉に手間がかかる。また、キャップを計量キャップとして使用すると、粉や液体等はねじ溝に溜まり易く、錠剤等はねじ溝に引っかかり易い。
【０００５】
捻りタイプのものでは、ボトル台座を円形にすること等ができず、デザイン上の制約を受ける。また、このタイプでは、キャップ及びボトル共に複雑な構造となるため、成形性及び金型構造上難しくなり、コストアップの原因となる。
【０００６】
さらに従来においては、特開昭５５−１０７６５２号公報に開示されるように、ボトルとキャップを嵌合係止するためのアンダーカットを全周に亘る一連のものでなく不連続のものとすることによって、嵌合寸法のばらつきにより生ずるキャッピング力のばらつきを抑えるようにした、ワンタッチツイストオープン容器が提案されている。
【０００７】
上記容器においてキャップを取り外すには、該キャップ及び該ボトルにそれぞれ不連続として設けたアンダーカットの係合状態を、該キャップを捻ることにより外す必要がある。
【０００８】
しかし、上記係合状態を解除するには、キャップに設けたアンダーカットをボトルに設けたアンダーカットに対して滑動させる必要があるが、該アンダーカットを外す力が何も発生しないので、その解除力にかなりの力が必要となる。
【０００９】
従って、本発明の目的は、小さな力でキャップを容易に開蓋することができ、またボトル及びキャップのデザイン上の制約を受けず、しかも金型加工が容易である簡易開閉式容器を提供することにある。
【００１０】
【課題を解決するための手段】
請求項１記載の発明は、注口部を有するボトルの口部に、キャップを押圧して該キャップの内周面に設けた係合部を該口部の外周面に設けた係合部に係合させて閉蓋し、該キャップを捻って該ボトルの該係合部と該キャップの該係合部との係合状態を解除して開蓋するようにした簡易開閉式容器において、上記キャップの内周面の係合部と上記口部の外周面の係合部は、円環状をなす突起として設けられており、上記ボトルの天面の上記キャップの回転中心位置から偏心した位置に、円形状をなす上記注口部が形成されており、上記ボトルを上記キャップによって閉蓋した際に、上記注口部に嵌合して上記注口部を密閉する半球形状又は円錐形状の突起が、上記キャップの天面における回転中心位置から偏心した位置に設けられており、上記キャップの捻りにより生じる、上記注口部から上記突起が上方に外れる際の力を利用して、上記ボトルの上記係合部と上記キャップの上記係合部との係合状態を解除するようにした簡易開閉式容器を提供することにより、上記の目的を達成したものである。
【００１３】
【発明の実施の形態】
以下、本発明を適用した具体的な実施形態について図面を参照しながら詳細に説明する。
【００１４】
第１の実施形態
図１は本実施形態の簡易開閉式容器を示す分解斜視図、図２は本実施形態の簡易開閉式容器を一部破断して示す正面図、図３は本実施形態の簡易開閉式容器を示す平面図、図４は本実施形態の簡易開閉式容器において、キャップを捻ったことによりキャップ係合部がボトル係合部から外れた状態を一部破断して示す正面図である。
【００１５】
本実施形態の簡易開閉式容器は、図１及び図２に示すように、注口部１を有するボトル２の口部３に、キャップ４を押圧して該キャップ４の内周面４ａに設けた係合部（以下、キャップ係合部５という）を該口部３の外周面３ａに設けた係合部（以下、ボトル係合部６という）に係合させて閉蓋し、該キャップ４を捻ってボトル係合部６とキャップ係合部５との係合状態を解除して開蓋するようにした簡易開閉式容器である。
【００１６】
上記ボトル２は、図１に示すように、通常のブロー成形法によって成形され、その内部に粉、液体、錠剤等を収容し得る収容部を有した中空容器として形成されている。本実施形態では、上記ボトル２を円筒体として形成した。
【００１７】
上記ボトル２の天面２ａには、粉、液体、錠剤等の如き収容物を取り出すための注口部１が設けられている。かかる注口部１は、キャップ４の回転中心位置から偏心した位置に、円形状をなす貫通孔として形成されている。
【００１８】
また、上記ボトル２の口部３における外周面３ａには、キャップ４に形成されたキャップ係合部５と係合して該ボトル２を閉蓋するボトル係合部６が形成されている。かかるボトル係合部６は、上記口部３の外周面３ａに円環状をなす突起として形成されている。
【００１９】
一方、キャップ４は、図１及び図２に示すように、上記ボトル２の口部３を覆うに足る大きさとされた略円筒体として形成されている。このキャップ４の内周面４ａには、該キャップ４によってボトル２を閉蓋した際に、該ボトル２に設けたボトル係合部６と係合するキャップ係合部５が設けられている。かかるキャップ係合部５は、キャップ４の内周面４ａに円環状をなす突起として設けられ、上記ボトル２に形成されるボトル係合部６の下側に位置して該ボトル係合部６に対して係合するようになっている。
【００２０】
而して、本実施形態の簡易開閉式容器についてさらに詳細に説明する。上記キャップ４の天面４ｂには、図１ないし図３に示すように、内方に突出する突起７が設けられている。かかる突起７は、キャップ４の天面４ｂにおける回転中心位置から偏心した位置に設けられている。そして、この突起７は、上記ボトル２をキャップ４によって閉蓋した際に、上記注口部１より該ボトル２内に臨んで設けられるように形成されている。
【００２１】
上記突起７は、半球形状をなす突起として形成され、上記注口部１に嵌合して該注口部１を密閉するようになっている。従って、上記突起７が注口部１に嵌合することで、該注口部１がシールされ、該注口部１からの粉漏れ、液漏れ、錠剤漏れが防止される。
【００２２】
上記構成からなる簡易開閉式容器において、キャップ４によりボトル２を閉蓋するには、先ず、図１に示すように、ボトル２の天面２ａに設けた注口部１とキャップ４に設けた突起７とを一致させて、該ボトル２の口部３に該キャップ４を押圧する。すると、キャップ係合部５がボトル係合部６の上部に当接する。そこからさらにキャップ４を押圧すると、キャップ係合部５がボトル係合部６を乗り越えて、図２に示すように、該キャップ係合部５がボトル係合部６の下側より該ボトル係合部６に対して係合する。その結果、ボトル２は、キャップ４によって閉蓋される。
【００２３】
ボトル２よりキャップ４を取り外すには、図２に示す閉蓋状態からキャップ４を時計回り方向又は反時計回り方向のいずれかの方向に捻る。すると、キャップ４に設けられた突起７は、該キャップ４の回転中心位置から偏心した位置に設けられているため、該キャップ４の回転に伴ってボトル２の注口部１から上記突起７が上方に抜け出る。このときの上記注口部１から突起７が上方に外れる際の力によって、図４に示すように、ボトル係合部６からキャップ係合部５が外れる。その後は、軽くキャップ４を捻るだけで簡単にキャップ４を取り外すことができる。
【００２４】
このように、上記キャップ４の捻りにより生じる、上記注口部１から上記突起７が上方に外れる際の力を利用して、上記ボトル係合部６とキャップ係合部５との係合状態を解除すれば、小さな力で簡単にキャップ４をボトル２より取り外して該ボトル２を開蓋することができる。従って、キャップ４を無理に開けるようなこともないことから、内容物は飛び出し難く、安定して容易に開蓋できる。また、注口部１がキャップ４の回転中心位置から偏心した位置に設けられているので、内容物を取り出し易く、計量もし易い。
【００２５】
また、本実施形態の簡易開閉式容器によれば、通常のインジェクション成形法によってキャップ４を成形することができる。また、金型加工においては、突起７となる部材を単に従来の金型に装着するだけで、非常に簡単に金型を加工できる。また、成形時の離型も何ら問題はなく容易になる。さらに、ボトル台座、キャップ形状とも円形を含む如何なる形状でも機能し、デザイン上の制約がない。
【００２６】
以上、本発明を適用した具体的な第１の実施形態について説明したが、本発明は、上述した実施形態に制限されることなく本発明の要旨を逸脱しない範囲で種々変更が可能である。例えば、キャップ４に形成する突起７の形状を、先端が平らな円錐形状としてもよい。そして、この突起７によって注口部１を密閉するようにしても構わない。
【００２７】
また、図５に示すように、先の図１及び図２に示したボトル２の天面２ａを取り払って、そこに注口部１を設けた中蓋８を設けるようにしてもよい。かかる中蓋８に注口部１を設ければ、前記した図１に示す簡易開閉式容器と全く同様の効果が得られる。
【００２８】
また、図１に示した簡易開閉式容器では、ボトル２の天面２ａと同一面に注口部１を設けたが、図６に示すように、ボトル２の天面２ａより上方に突出した突起９の先端に注口部１を設け、該注口部１にキャップ４に設けた突起７を嵌合させるようにしてもよい。
【００３９】
以上、本発明を適用した具体的な第１の実施形態について説明したが、本発明は、上述した実施形態に制限されることなく本発明の要旨を逸脱しない範囲で種々変更が可能である。
【００４３】
【発明の効果】
以上の説明からも明らかなように、本発明の簡易開閉式容器によれば、小さな力でキャップを容易に開蓋することができ、またボトル及びキャップのデザイン上の制約を受けず、しかも金型加工が容易である簡易開閉式容器を提供することができる。
【図面の簡単な説明】
【図１】  第１の実施形態の簡易開閉式容器を示す分解斜視図である。
【図２】  第１の実施形態の簡易開閉式容器を一部破断して示す正面図である。
【図３】  第１の実施形態の簡易開閉式容器を示す平面図である。
【図４】  第１の実施形態の簡易開閉式容器において、キャップを捻ったことによりキャップ係合部がボトル係合部から外れた状態を一部破断して示す正面図である。
【図５】  第１の実施形態の簡易開閉式容器のさらに他の例を示すもので、ボトルの天面を取り払って、そこに注口部を設けた中蓋を取り付けた例を一部破断して示す正面図である。
【図６】  第１の実施形態の簡易開閉式容器のさらに他の例を示すもので、ボトルの天面より上方に突出した突起の先端に注口部を設け、該注口部にキャップに設けた突起を嵌合させた例を一部破断して示す正面図である。
【符号の説明】
１   注口部
２   ボトル
２ａ ボトルの天面
３   口部
４   キャップ
４ａ キャップの天面
５   キャップ係合部
６   ボトル係合部
７   突起
【図１】
0003681237.tif 000002
【図２】
0003681237.tif 000003
【図３】
0003681237.tif 000004
【図４】
0003681237.tif 000005
【図５】
0003681237.tif 000006
【図６】
0003681237.tif 000007